(57)【要約】【課題】  外部表示装置に接続されたインターフェースを装備し、携帯端末上の表示画面と外部表示装置との両方同時に描画できないハードウェア上の制約がある携帯端末において、携帯端末上と外部表示装置上の両方に図面を表示しながらプレゼンテーションを行う場合に、操作性が良い手段を提供する。【解決手段】  ペンダウン、ペンドラッグが行われているときは、外部表示装置または携帯端末の一方だけに描画を行い、ペンアップ動作時に、もう一方に反映させる。【選択図】        図２
2006163759.tif 000002
【特許請求の範囲】
【請求項１】
画像を表示する為の表示装置と、前記表示装置上に設置されペン操作を指示するためのタッチパネルと、外部の表示装置と接続する為のインターフェースを備える携帯端末において、
ペンアップ時に描画動作を行うことを特徴とする携帯端末。
【請求項２】
請求項１の携帯端末において、
ペンダウン、ペンドラッグ時には外部の表示装置にのみ描画を行い、ペンアップ時に携帯端末上の表示装置に描画を行うことを特徴とする携帯端末。
【請求項３】
請求項１の携帯端末において、
ペンダウン、ペンドラッグ時には携帯端末上の表示装置にのみ描画を行い、ペンアップ時に外部の表示装置に描画を行うことを特徴とする携帯端末。
【請求項４】
請求項３の携帯端末において、
ペンダウン、ペンドラッグ時には携帯端末上の表示装置にのみ描画を行い、ペンアップ時に外部の表示装置に描画を行うと共に、ペンダウン、ペンドラッグ時に携帯端末上の表示装置に描画した図形の色、形などを変化させることを特徴とする携帯端末。
【発明の詳細な説明】
【技術分野】
【０００１】
本発明は、表示装置と表示装置上に設置されたタッチパネルを装備し、外部表示装置に接続するインターフェースを装備した携帯端末に関する。
【背景技術】
【０００２】
従来、複数の人前で図面を用いて説明するプレゼンテーションを行う際、ＯＨＰシートを投影機により壁面などに図面を投影して見せ、指示棒を使って図面の一部分を指し示し、また、ＯＨＰシート上にペンで書き加えることにより、説明を行う方法が取られていた。
【０００３】
近年のパーソナルコンピュータの機能の充実により、ＯＨＰシートを使用せず、外部表示装置へのインターフェースを有するパーソナルコンピュータと、大型ＴＶモニターやプロジェクタなどの外部表示装置を用いて、パーソナルコンピュータ上で作成した図面をパーソナルコンピュータ画面上に表示するとともに、同様の図面を外部に接続された大型ＴＶやプロジェクタに同時に表示し、マウスカーソルによって図面の特定部位の位置を指し示したり、また、図面にマーカーを書き加えるアプリケーションを用いて説明を行うプレゼンテーションの方法が多くとられるようになってきていた。
【０００４】
また、近年、パーソナルコンピュータより小型軽量で可搬性に優れ、デジタルカメラを含む携帯端末が、外部表示装置へのインターフェースを装備し、タッチパネルを装備して操作性が優れるなど高性能化した携帯端末を、パーソナルコンピュータの代わりに外部表示装置に接続してプレゼンテーションの方法が、携帯端末の可搬性、簡便さを生かしたものとして注目を集めてきている。
【０００５】
携帯端末上の表示装置とタッチパネルおよび外部表示装置へのインターフェースを装備し、プレゼンテーションを行うことを目的としたデジタルカメラとしては、たとえば特許文献１に記載されたものがあり、同公報のデジタルカメラでは、外部の表示装置と接続する為のインターフェースを装備し、外部に接続された表示装置に表示する図面をデジタルカメラに装備された表示装置とタッチパネルを用いて外部表示装置に表示する図面を特定するなどの操作することにより、使い勝手を向上する技術を開示している。
【特許文献１】特開２０００−３４１５７２号公報
【発明の開示】
【発明が解決しようとする課題】
【０００６】
しかしながら、従来のデジタルカメラを含む携帯端末においては、タッチパネルと外部表示装置へのインターフェースを装備した、デジタルカメラ等を含む携帯端末のハードウェアは、小型軽量を優先しているために、可搬性に優れる一方、パーソナルコンピュータに比較してリソースの不足が大きく、携帯端末上の表示装置への描画と外部の表示装置への描画が同時に行えないなどのハードウェアの制限があるものが多い。
【０００７】
プレゼンテーション時には、表示された図面上で位置を指し示す為のカーソル表示をおこなったり、マーカーを図面に書き込んだりするのに、携帯端末の表示装置と外部の表示装置に同時にカーソルやマーカーを描画することが必要になるが、上記の制限上、外部表示装置または携帯端末上の表示装置のみへの表示となり、携帯端末の操作者がプレゼンテーションを行う際、携帯端末の表示装置と外部表示装置の両方を交互に見ながら、タッチパネルで操作しなければならず、極めて操作性がよくないという問題点があった。
【０００８】
本発明は、上記の問題に鑑みてなされたもので、携帯端末の手軽に持ち運べるという特性を生かしながら、タッチパネルと外部表示装置へのインターフェースを装備し、携帯端末上の表示装置への描画と外部の表示装置への描画が同時に行えないというハードウェアの制限を持つ携帯端末において、外部表示装置に図面を表示して、プレゼンテーションを行う際に、操作性に優れた手段を提供することを目的としている。
【課題を解決するための手段】
【０００９】
本発明は、上述の課題を解決することを目的としてなされたもので、請求項１の発明は、画像を表示する為の表示装置と、前記表示装置上に設置されペン操作を指示するためのタッチパネルと、外部の表示装置と接続する為のインターフェースを備える携帯端末において、ペンアップ時に描画動作を行う手段を備えたものである。
【００１０】
また、請求項２の発明は、画像を表示する為の表示装置と、前記表示装置上に設置されペン操作を指示するためのタッチパネルと、外部の表示装置と接続する為のインターフェースを備える携帯端末において、ペンダウン、ペンドラッグ時には外部の表示装置にのみ描画を行い、ペンアップ時に携帯端末上の表示装置に描画を行う手段を備えたものである。
【００１１】
また、請求項３の発明は、画像を表示する為の表示装置と、前記表示装置上に設置されペン操作を指示するためのタッチパネルと、外部の表示装置と接続する為のインターフェースを備える携帯端末において、ペンダウン、ペンドラッグ時には携帯端末上の表示装置にのみ描画を行い、ペンアップ時に外部の表示装置に描画を行う手段を備えたものである。
【００１２】
また、請求項４の発明は、画像を表示する為の表示装置と、前記表示装置上に設置されペン操作を指示するためのタッチパネルと、外部の表示装置と接続する為のインターフェースを備える携帯端末において、ペンダウン、ペンドラッグ時には携帯端末上の表示装置にのみ描画を行い、ペンアップ時に外部の表示装置に描画を行うと共に、ペンダウン、ペンドラッグ時に携帯端末上の表示装置に描画した図形の色、形などを変化させる手段を備えたものである。
【発明の効果】
【００１３】
請求項１および請求項２の発明により、ペンダウンおよびペンドラッグ中は、外部表示装置にのみカーソルを描画し、ペンアップ時に携帯端末上の表示装置に矢印カーソルを表示することとしたので、携帯端末上の表示装置と外部表示装置の両方に同時にカーソルを表示できないハードウェアの制約上がある携帯端末においても、プレゼンテーションを行っている利用者は、携帯端末の画面のみを見て説明を行うことができ、非常に操作性が向上した。ペンダウン、ペンドラッグ中は、ペンを携帯端末上の表示装置に押し当てているので、携帯端末上の表示装置にカーソルを表示しなくても、利用者はどの位置を指し示しているか分かる。
【００１４】
請求項１および請求項３の発明により、図面上に線を描画してプレゼンテーションを行う際、携帯端末上の表示装置と外部表示装置の両方に同時に線を表示できないハードウェアの制約上がある携帯端末においても、ペンダウンとドラッグが行われた際に、携帯端末上の表示装置にのみ描画を行い、ペンアップ時に携帯端末上の表示装置に描画した線を外部表示装置に描画を行うことにより、プレゼンテーションを行っている利用者は、携帯端末の画面のみを見て説明を行うことができ、非常に操作性が向上した。
【００１５】
請求項１および請求項４の発明により、図面上に線を描画してプレゼンテーションを行う際、携帯端末上の表示装置と外部表示装置の両方に同時に線を表示できないハードウェアの制約上がある携帯端末においても、ペンダウンとドラッグが行われた際に、携帯端末上の表示装置にのみ描画を行い、ペンアップ時に携帯端末上の表示装置に描画した線を外部表示装置に描画を行い、さらに、携帯端末の表示画面の線分の色を変えて、利用者に外部表示画面に反映されたことがはっきりと分かり、プレゼンテーションを行っている利用者は、携帯端末の画面のみを見て説明を行うことができ、更に非常に操作性が向上した。
【発明を実施するための最良の形態】
【００１６】
以下に添付図面を参照してこの発明の好適な実施の形態を詳細に説明する。
【実施例１】
【００１７】
図１〜６を使用して、本発明の実施例１の詳細を説明する。
【００１８】
図１は、本発明の実施例１の実施形態である。携帯端末１００は、タッチパネル付き液晶表示装置１０１を装備し、ペン１０２をタッチパネル付き液晶表示装置１０１をタップ、ドラッグ、ペンアップすることによって操作する。携帯端末１００は、接続ケーブル１０４によって外部表示装置としてＴＶモニター１０３と接続されている。本実施例では、外部表示装置として、大型ブラウン管を用いて表示を行うＴＶモニター１０３を使用しているが、投影型のプロジェクタなど、図面を表示できるものであれば他の装置でも構わない。また、本実施例では、携帯端末と外部表示装置との接続を有線のケーブルを用いているが、無線でも構わない。
【００１９】
図２は、本実施例１の携帯端末の内部構成を示すブロック図である。携帯端末２００には、制御する為のＣＰＵ２０３と本発明を実現する為のプログラムやデータを保管し、実行する為のＲＡＭ／ＲＯＭメモリ１０６されている。本実施例では、ＲＯＭメモリ１０６にプログラムが保管されているが、ＦＤなどの記憶媒体で提供され、ＲＡＭ上に置くなど本プログラムが実行できる環境であれば、構わない。
【００２０】
表示する図面データは、ＪＰＥＧイメージファイル、ＧＩＦイメージファイル、ＰＮＧイメージファイル、ＰＤＦファイル、ＨＴＭＬファイルなどのファイル形式で、メモリカードアダプタ２０４で接続されるメモリカード２０５に保管されている。本実施例では、表示する図面データをメモリカー２０５に格納したが、携帯端末がＰＣと接続され、ＲＡＭ上にデータを格納した形態でも構わない。
【００２１】
携帯端末２００には、液晶表示部２０２とタッチパネル２０１により、画面表示を行い、利用者が図面上をペン１０２で操作したときの位置を取得できる。本実施例では、携帯端末２００上の表示装置として液晶を使用しているが、図面を表示できるものであれば、プラズマディスプレィなど図面を表示できるものであれば他の形態であっても構わない。
【００２２】
携帯端末２００には、外部表示装置と接続する為のインターフェース２０７が装備されており、優先により、ＴＶモニター２０８が接続されている。
【００２３】
図３は、本実施例１の携帯端末１００の液晶表示装置１０１に表示される表示画面である。データリスト３０４には、表示する図面を表すデータサムネイルアイコン３０５が並べて表示されている。表示されるデータは、ＪＰＥＧイメージファイル、ＧＩＦイメージファイル、ＰＮＧイメージファイル、ＰＤＦファイル、ＨＴＭＬファイルなどであり、図面を表示できるデータであれば、他のファイルでも構わない。
【００２４】
データリスト３０４に表示されているデータサムネイルアイコン３０５の１つをタップして選択すると、選択されたことを示すように色が暗く変化し、選択されたデータサムネイルアイコン３０６のようになる。また、同時に、選択図面の表示３０１に選択されたデータファイルの図面が表示される。次に、ＴＶモニターに表示されることを示す矩形の範囲内の図面が、外部表示装置の画面であるＴＶモニター３０８に表示される。
【００２５】
携帯端末の液晶表示画面１０１の図面が表示されている選択図面の表示３０１の上をタップを行うと請求項２の発明により外部表示のタップをした位置を示す場所に矢印状のカーソルが表示されるが、図４が示すように、携帯端末の液晶表示画面１０１には、矢印は表示されない。また、続けてドラッグを行うと、ペンのある位置に相当する図面上の外部表示装置に矢印状のカーソルが移動して表示される。ここでは、カーソルを矢印としているが、位置をしめすことができるのであれば、矢印である必要はない。
【００２６】
ペン１０２をタッチパネルから離し、ペンアップを行うと、図５が示すように携帯端末の液晶表示画面１０１の最後にペンが接触していた位置に矢印のカーソルが表示される。
【００２７】
本発明のプログラムの動作を図６の実施例１のフローチャートを参照して説明する。
【００２８】
Ｓ６０１で開始され、Ｓ６０２においてペンによるイベントを検出する。ペンダウンイベントが検出されると、Ｓ６０３にて、外部表示装置の図面表示で、ペンダウンが行われた位置に矢印カーソルを表示する。ペンドラッグが検出されると、Ｓ６０４にて外部表示装置の矢印カーソルを消去し、新しい位置に矢印カーソルを表示する。ペンアップが検出されると、Ｓ６０５にて携帯端末上の表示装置にも矢印カーソルが表示される。
【実施例２】
【００２９】
図１、２、７〜８を使用して、本発明の実施例２の詳細を説明する。
【００３０】
本実施例２の実施形態は、実施例１の図１と同じである。本実施例２のブロック図は、実施例１の図２と同じである。
【００３１】
本実施例２では、ペンダウンされたとき、ペンダウンの図面上の位置を記録し、ペンドラッグが行われたとき、最初にペンダウンされた位置からペンドラッグされた位置まで、携帯端末の表示画面上に線を描画する。ペンアップされたときに、携帯端末の表示画面上に描いた同様の線を外部表示装置と同様な位置に描画する。
【００３２】
本実施例の動作を図８のフローチャートによって説明する。
【００３３】
Ｓ８０１で開始され、Ｓ８０２においてペンによるイベントを検出する。ペンダウンイベントが検出されると、Ｓ８０３にて、図面上のペンダウンが行われた位置を記憶する。ペンドラッグが検出されると、Ｓ８０４にてペンダウンが行われた位置からペンドラッグが行われた位置まで携帯端末の表示装置上の図面に線を描く。ペンアップが行われるとＳ８０５にて、携帯端末の表示装置上に描かれた線を外部表示装置上に描く。
【実施例３】
【００３４】
図１、２、９〜１０を使用して、本発明の実施例３の詳細を説明する。
【００３５】
本実施例３の実施形態は、実施例１の図１と同じである。本実施例３のブロック図は、実施例１の図２と同じである。
【００３６】
Ｓ１００１で開始され、Ｓ１００２においてペンによるイベントを検出する。ペンダウンイベントが検出されると、Ｓ１００３にて、図面上のペンダウンが行われた位置を記憶する。ペンドラッグが検出されると、Ｓ１００４にてペンダウンが行われた位置からペンドラッグが行われた位置まで携帯端末の表示装置上の図面に線を描く。ペンアップが行われるとＳ１００５にて、携帯端末の表示装置上に描かれた線を外部表示装置上に描き、携帯端末の表示装置上に描かれた線の色を変化させる。本実施例では、色の変換を行ったが、線の太さを変えることによってもよい。実施例３では、ラジオボタン９１０によって、実施例１に見られるカーソルの表示と線の描画を切り替えられる。
【図面の簡単な説明】
【００３７】
【図１】本発明の実施例１の実施形態を示す図である。
【図２】本発明の実施例のブロック図である。
【図３】本発明の実施例１の携帯端末上の表示装置の表示および外部表示装置の表示である。
【図４】本発明の実施例１のペンダウン、ドラッグ時の携帯端末上の表示装置の表示である。
【図５】本発明の実施例１のペンアップ時の携帯端末上の表示装置の表示である。
【図６】本発明の実施例１のフローチャート図である。
【図７】本発明の実施例２のペンダウン、ドラッグ時の携帯端末上の表示装置の表示である。
【図８】本発明の実施例２のフローチャート図である。
【図９】本発明の実施例３のペンドラッグ時の携帯端末上の表示装置の表示および外部表示装置の表示である。
【図１０】本発明の実施例３のフローチャート図である。
【符号の説明】
【００３８】
１００  携帯端末
１０１  タッチパネル付き液晶パネル
１０２  ペン
１０３  ＴＶモニター
１０４  接続ケーブル
２００  携帯端末
２０１  液晶表示画面上のタッチパネル
２０２  液晶表示部
２０３  ＣＰＵ
２０４  メモリカードアダプタ
２０５  メモリカード
２０６  ＲＡＭ／ＲＯＭメモリ
２０７  外部表示インターフェース
２０８  ＴＶモニター
３００  携帯端末の液晶表示画面
３０１  選択図面の表示
３０２  ＴＶモニターに表示されることを示す矩形
３０３  終了ボタン
３０４  データリスト
３０５  データサムネイルアイコン
３０６  選択されたデータサムネイルアイコン
３０７  ペン
３０８  ＴＶモニター
３０９  カーソル
４００  ペンダウン、ドラッグ時の携帯端末上の液晶図面表示
４０１  ペン
４０２  表示図面
５００  ペンアップ時の携帯端末上の液晶図面表示
５０１  アップされたペン
５０２  表示図面
５０４  図面に重ねて表示されるカーソル
９００  携帯端末の液晶表示画面
９０１  選択図面の表示
９０２  ＴＶモニターに表示されることを示す矩形
９０３  終了ボタン
９０４  データリスト
９０５  データサムネイルアイコン
９０６  選択されたデータサムネイルアイコン
９０７  ペン
９０８  ＴＶモニター
９０９  描画された線
９１０  ポインタ／マーカー切り替えラジオボタン
９１１  マーカー消去ボタン
【図６】
2006163759.tif 000003
【図８】
2006163759.tif 000004
【図１０】
2006163759.tif 000005
【図１】
2006163759.tif 000006
【図２】
2006163759.tif 000007
【図３】
2006163759.tif 000008
【図４】
2006163759.tif 000009
【図５】
2006163759.tif 000010
【図７】
2006163759.tif 000011
【図９】
2006163759.tif 000012